(57)【特許請求の範囲】
【請求項１】
第１の電源電圧と前記第１の電源電圧よりも所定値だけ低い第２の電源電圧とによって駆動され、第１のレベルを有する第１の電圧が入力されたとき前記第１および第２の電源電圧をそれぞれ第１および第２のノードから出力し、前記第１のレベルよりも低い第２のレベルを有する第２の電圧が入力されたとき前記第２の電源電圧を前記第１のノードから出力し、かつ、前記第１の電源電圧を前記第２のノードから出力する第１の電圧供給回路と、
第３の電源電圧と前記第３の電源電圧よりも所定値だけ低い第４の電源電圧とによって駆動され、前記第１の電圧が入力されたとき前記第３および第４の電源電圧をそれぞれ第３および第４のノードから出力し、前記第２の電圧が入力されたとき前記第４の電源電圧を前記第３のノードから出力し、かつ、前記第３の電源電圧を前記第４のノードから出力する第２の電圧供給回路と、
前記第１の電源電圧と前記第４の電源電圧とによって駆動され、前記第１のノードから前記第１の電源電圧が供給され、前記第２のノードから前記第２の電源電圧が供給され、前記第３のノードから前記第４の電源電圧が供給され、前記第４のノードから前記第３の電源電圧が供給されたとき、第１の電流を負荷に流し、前記第１のノードから前記第２の電源電圧が供給され、前記第２のノードから前記第１の電源電圧が供給され、前記第３のノードから前記第３の電源電圧が供給され、前記第４のノードから前記第４の電源電圧が供給されたとき、前記第１の電流と反対方向の第２の電流を負荷に流す電流供給回路とを備え、
前記第１の電圧供給回路は、前記第１の電圧が前記第２の電圧供給回路に供給されるとき前記第２の電圧を受け、前記第２の電圧が前記第２の電圧供給回路に供給されるとき前記第１の電圧を受ける、ブリッジ回路。
【請求項２】
前記電流供給回路は、
前記第１の電源電圧が供給される第１の電源端子と、
前記第４の電源電圧が供給される第２の電源端子と、
前記負荷の一方端に接続された第１の出力ノードと、
前記負荷の他方端に接続された第２の出力ノードと、
ゲート端子が前記第１のノードに接続され、かつ、前記第１の電源端子と前記第１の出力ノードとの間に接続された第１の導電型の第１のＭＯＳトランジスタと、
ゲート端子が前記第４のノードに接続され、かつ、前記第１の出力ノードと前記第２の電源端子との間に接続された第２の導電型の第２のＭＯＳトランジスタと、
ゲート端子が前記第２のノードに接続され、かつ、前記第１の電源端子と前記第２の出力ノードとの間に接続された第１の導電型の第３のＭＯＳトランジスタと、
ゲート端子が前記第３のノードに接続され、かつ、前記第２の出力ノードと前記第２の電源端子との間に接続された第２の導電型の第４のＭＯＳトランジスタとを含む、請求項１に記載のブリッジ回路。
【請求項３】
前記第１の電圧供給回路は、
前記第１の電源電圧が供給される第３の電源端子と、
前記第２の電源電圧が供給される第４の電源端子と、
前記第１の電圧が入力されたとき前記第１の電源電圧を前記第１のノードへ出力し、前記第２の電圧が入力されたとき前記第２の電源電圧を前記第１のノードへ出力する第１の電圧回路と、
前記第１の電圧が入力されたとき前記第２の電源電圧を前記第２のノードへ出力し、前記第２の電圧が供給されたとき前記第１の電源電圧を前記第２のノードへ出力する第２の電圧回路とを含み、
前記第２の電圧供給回路は、
前記第３の電源電圧が供給される第５の電源端子と、
前記第４の電源電圧が供給される第６の電源端子と、
前記第１の電圧が入力されたとき前記第３の電源電圧を前記第３のノードへ出力し、前記第２の電圧が入力されたとき前記第４の電源電圧を前記第３のノードへ出力する第３の電圧回路と、
前記第１の電圧が入力されたとき前記第４の電源電圧を前記第４のノードへ出力し、前記第２の電圧が供給されたとき前記第３の電源電圧を前記第４のノードへ出力する第４の電圧回路とを含む、請求項１または請求項２に記載のブリッジ回路。
【請求項４】
前記第４の電源端子は、前記第３の電源端子に供給される前記第１の電源電圧が変動すると、前記第１の電源電圧の変動幅だけ変動した第２の電源電圧を受ける、請求項３に記載のブリッジ回路。
【請求項５】
前記第４の電源電圧は、接地電圧である、請求項１から請求項４のいずれか１項に記載のブリッジ回路。
【請求項６】
光磁気記録媒体に記録信号を記録する光磁気ディスク装置であって、
対物レンズによりレーザ光を前記光磁気記録媒体に照射する光学ヘッドと、
前記光磁気記録媒体に磁界を印加する磁気ヘッドと、
前記記録信号によって変調された磁界を発生するように前記磁気ヘッドを駆動する磁気ヘッド駆動回路と、
第１の電源電圧、前記第１の電源電圧よりも所定値だけ低い第２の電源電圧、第３の電源電圧、および前記第３の電源電圧よりも所定値だけ低い第４の電源電圧を前記磁気ヘッド駆動回路へ供給する電源回路とを備え、
前記磁気ヘッド駆動回路は、
前記第１の電源電圧と前記第２の電源電圧とによって駆動され、前記記録信号の第１の論理を示す第１の電圧が入力されたとき前記第１および第２の電源電圧をそれぞれ第１および第２のノードから出力し、前記記録信号の第２の論理を示す第２の電圧が入力されたとき前記第２の電源電圧を前記第１のノードから出力し、かつ、前記第１の電源電圧を前記第２のノードから出力する第１の電圧供給回路と、
前記第３の電源電圧と前記第４の電源電圧とによって駆動され、前記第１の電圧が入力されたとき前記第３および第４の電源電圧をそれぞれ第３および第４のノードから出力し、前記第２の電圧が入力されたとき前記第４の電源電圧を前記第３のノードから出力し、かつ、前記第３の電源電圧を前記第４のノードから出力する第２の電圧供給回路と、
前記第１の電源電圧と前記第４の電源電圧とによって駆動され、前記第１のノードから前記第１の電源電圧が供給され、前記第２のノードから前記第２の電源電圧が供給され、前記第３のノードから前記第４の電源電圧が供給され、前記第４のノードから前記第３の電源電圧が供給されたとき、第１の電流を前記磁気ヘッドに流し、前記第１のノードから前記第２の電源電圧が供給され、前記第２のノードから前記第１の電源電圧が供給され、前記第３のノードから前記第３の電源電圧が供給され、前記第４のノードから前記第４の電源電圧が供給されたとき、前記第１の電流と反対方向の第２の電流を前記磁気ヘッドに流す電流供給回路とを含み、
前記第１の電圧供給回路は、前記第１の電圧が前記第２の電圧供給回路に供給されるとき前記第２の電圧を受け、前記第２の電圧が前記第２の電圧供給回路に供給されるとき前記第１の電圧を受ける、光磁気ディスク装置。
【請求項７】
前記電源回路は、前記第１の電源電圧が変動すると、前記第１の電源電圧の変動幅だけ変動した第２の電源電圧を前記第１の電圧供給回路へ供給する、請求項６に記載の光磁気ディスク装置。
【発明の詳細な説明】
【０００１】
【発明の属する技術分野】
この発明は、負荷に流す電流レベルを任意に設定可能なブリッジ回路およびそれを用いた光磁気ディスク装置に関するものである。
【０００２】
【従来の技術】
書換え可能で、記憶容量が大きく、かつ、信頼性の高い記録媒体として光磁気記録媒体が注目されており、コンピュータメモリ等として実用化され始めている。そして、最近では、記録容量が６．０Ｇｂｙｔｅｓの光磁気記録媒体がＡＳ−ＭＯ（Ａｄｖａｎｃｅｄ  Ｓｔｏｒａｇｅ  Ｍａｇｎｅｔｏ  Ｏｐｔｉｃａｌ  ｄｉｓｋ）規格として規格化され、実用化されようとしている。
【０００３】
ＡＳ−ＭＯ規格による光磁気記録媒体は、ランドとグルーブとを径方向に交互に配置したトラック構造を有し、ランドとグルーブとの両方に信号を記録することによって記録密度の高密度化を図っている。そして、光磁気記録媒体に信号を記録するとき、レーザ光を光磁気記録媒体に照射し、記録信号によって変調された磁界を光磁気記録媒体に印加する。この場合、磁気ヘッド駆動回路は、記録信号によって変調された電流を磁気ヘッドのコイルに流す。そして、磁気ヘッドは、記録信号によって変調された磁界を光磁気記録媒体に印加する。
【０００４】
図８を参照して、磁気ヘッド駆動回路２００は、コンパレータ２０４と、バッファ２０５，２０６と、ＰチャネルＭＯＳトランジスタ２０７，２０８と、ＮチャネルＭＯＳトランジスタ２０９，２１０とを備える。コンパレータ２０４は、電源ノード２０１から供給される電源電圧ＶＤＤと接地ノード２０３から供給される接地電圧Ｖｓｓとによって駆動される。そして、電源電圧ＶＤＤとして５Ｖが供給される。コンパレータ２０４は、記録信号によって変調されたノード２１１上の電圧を所定の基準値（たとえば、２．５Ｖ）によってコンパレートし、そのコンパレートした結果をノード２１２，２１３へ出力する。バッファ２０５，２０６は、電源ノード２０１から供給される電源電圧ＶＤＤと接地ノード２０３から供給される接地電圧Ｖｓｓとによって駆動される。そして、バッファ２０５は、コンパレータ２０４の／ＯＵＴ端子から出力された電圧をノード２１２から入力し、その入力された電圧をインピーダンス変換した後、ノード２１４へ出力する。バッファ２０６は、コンパレータ２０４のＯＵＴ端子から出力された電圧をノード２１３から入力し、その入力された電圧をインピーダンス変換した後、ノード２１５へ出力する。
【０００５】
ＰチャネルＭＯＳトランジスタ２０７およびＮチャネルＭＯＳトランジスタ２０９は、電源ノード２０２と接地ノード２０３との間に直列に接続される。また、ＰチャネルＭＯＳトランジスタ２０８およびＮチャネルＭＯＳトランジスタ２１０は、電源ノード２０２と接地ノード２０３との間に直列に接続される。そして、ＰチャネルＭＯＳトランジスタ２０７およびＮチャネルＭＯＳトランジスタ２０９は、ＰチャネルＭＯＳトランジスタ２０８およびＮチャネルＭＯＳトランジスタ２１０と並列に接続される。ＰチャネルＭＯＳトランジスタ２０７およびＮチャネルＭＯＳトランジスタ２０９は、そのゲート端子にノード２１４上の電圧を受け、ＰチャネルＭＯＳトランジスタ２０８およびＮチャネルＭＯＳトランジスタ２１０は、そのゲート端子にノード２１５上の電圧を受ける。
【０００６】
ＰチャネルＭＯＳトランジスタ２０８とＮチャネルＭＯＳトランジスタ２１０との間のノード２１６は、磁気ヘッド１１９のコア１２０に巻回されたコイル１２１の一方端に接続され、ＰチャネルＭＯＳトランジスタ２０７とＮチャネルＭＯＳトランジスタ２０９との間のノード２１７は、磁気ヘッド１１９のコイル１２１の他方端に接続される。そして、電源ノード２０２から電源電圧Ｖｃｃ（たとえば、５Ｖ）が供給され、ＰチャネルＭＯＳトランジスタ２０７，２０８およびＮチャネルＭＯＳトランジスタ２０９，２１０が選択的にオン・オフされることによって磁気ヘッド１１９のコイル１２１に電流２１８，２１９を流す。
【０００７】
磁気ヘッド駆動回路２００には、デジタル化された記録信号の「１」に相当する電圧５Ｖと記録信号の「０」に相当する電圧０Ｖとが入力される。したがって、コンパレータ２０４は、ノード２１１から５Ｖが入力されると、入力された５Ｖは所定の基準値２．５Ｖよりも高いので、ＯＵＴ端子に接続されたノード２１３に５Ｖを出力し、／ＯＵＴ端子に接続されたノード２１２に０Ｖを出力する。そして、バッファ２０５は、ノード２１２上の電圧０Ｖをインピーダンス変換した後、０Ｖの電圧をノード２１４に出力する。また、バッファ２０６は、ノード２１３上の電圧５Ｖをインピーダンス変換した後、５Ｖの電圧をノード２１５に出力する。そうすると、ＰチャネルＭＯＳトランジスタ２０７およびＮチャネルＭＯＳトランジスタ２１０はオンされ、ＰチャネルＭＯＳトランジスタ２０８およびＮチャネルＭＯＳトランジスタ２０９はオフされる。その結果、電源ノード２０２から供給された電流は、ＰチャネルＭＯＳトランジスタ２０７、ノード２１７、コイル１２１、およびＮチャネルＭＯＳトランジスタ２１０を介して接地ノード２０３へ流される。つまり、コイル１２１に電流２１８が流れ、磁気ヘッド１１９は、磁界Ｈｅｘ１を光磁気記録媒体に印加する。
【０００８】
一方、記録信号の「０」に相当する電圧０Ｖがノード２１１から入力されると、電圧０Ｖは所定の基準値よりも低いので、コンパレータ２０４は、／ＯＵＴ端子に接続されたノード２１２に５Ｖを出力し、ＯＵＴ端子に接続されたノード２１３に０Ｖを出力する。バッファ２０５は、５Ｖの電圧をインピーダンス変換した後、ノード２１４へ出力し、バッファ２０６は、０Ｖの電圧をインピーダンス変換した後、ノード２１５へ出力する。そうすると、ＰチャネルＭＯＳトランジスタ２０７およびＮチャネルＭＯＳトランジスタ２１０はオフされ、ＰチャネルＭＯＳトランジスタ２０８およびＮチャネルＭＯＳトランジスタ２０９はオンされる。その結果、電源ノード２０２から供給された電流は、ＰチャネルＭＯＳトランジスタ２０８、ノード２１６、コイル１２１、およびＮチャネルＭＯＳトランジスタ２０９を介して接地ノード２０３へ流される。つまり、コイル１２１に電流２１９が流れ、磁気ヘッド１１９は、磁界Ｈｅｘ２を光磁気記録媒体に印加する。
【０００９】
このように、磁気ヘッド駆動回路２００は、記録信号「１」，「０」に応じて、異なる方向の磁界を光磁気記録媒体に印加するように磁気ヘッド１１９を駆動する。
【００１０】
【発明が解決しようとする課題】
しかし、最近、光磁気記録媒体の記録密度は、急速に高密度化されており、それに伴い、記録信号「１」に相当する磁界と記録信号「０」に相当する磁界とを高速に切換える必要が生じている。すなわち、磁気ヘッド駆動回路２００がコイル１２１に流す電流を高速に切換える必要が生じている。コイル１２１に流す電流を高速に切換えると、コイル１２１に流れる電流値が小さくなり、十分な強度の磁界を光磁気記録媒体に印加できず、信号を正確に記録できない。
【００１１】
一方、信号を正確に記録できる磁界強度を保持しながら、コイル１２１に流す電流を高速に切換えるためには、コイル１２１に大電流を流す必要がある。そのためには、電源ノード２０２から供給される電源電圧Ｖｃｃを５Ｖよりもさらに高くする必要がある。ＰチャネルＭＯＳトランジスタ２０７，２０８は、そのゲート端子とソース端子との間の電位差が５Ｖ以上になるとオンするように設計されているため、電源ノード２０２から１０Ｖ以上の電源電圧Ｖｃｃが供給されると、ノード２１４からゲート端子に０Ｖの電圧および５Ｖの電圧のいずれの電圧が供給されても、ＰチャネルＭＯＳトランジスタ２０７は、常時、オンされる。そうすると、ブリッジ回路に貫通電流が流れて回路を焼損したりして、信号を正確に記録できないという問題が生じる。
【００１２】
上記においては、磁気ヘッドのコイルに流す電流を例にして説明したが、このような問題は、コイルを用いたモータ等の電気機器の制御にも生じる問題である。
【００１３】
そこで、本発明は、かかる問題を解決するためになされたものであり、その目的は、コイルに流す電流を十分な振幅な保持したまま高速に切換え可能なブリッジ回路およびそれを用いた光磁気ディスク装置を提供することである。
【００１４】
【課題を解決するための手段】
この発明によれば、ブリッジ回路は、第１の電源電圧と第１の電源電圧よりも所定値だけ低い第２の電源電圧とによって駆動され、第１のレベルを有する第１の電圧が入力されたとき第１および第２の電源電圧をそれぞれ第１および第２のノードから出力し、第１のレベルよりも低い第２のレベルを有する第２の電圧が入力されたとき第２の電源電圧を第１のノードから出力し、かつ、第１の電源電圧を第２のノードから出力する第１の電圧供給回路と、第３の電源電圧と第３の電源電圧よりも所定値だけ低い第４の電源電圧とによって駆動され、第１の電圧が入力されたとき第３および第４の電源電圧をそれぞれ第３および第４のノードから出力し、第２の電圧が入力されたとき第４の電源電圧を第３のノードから出力し、かつ、第３の電源電圧を第４のノードから出力する第２の電圧供給回路と、第１の電源電圧と第４の電源電圧とによって駆動され、第１のノードから第１の電源電圧が供給され、第２のノードから第２の電源電圧が供給され、第３のノードから第４の電源電圧が供給され、第４のノードから第３の電源電圧が供給されたとき、第１の電流を負荷に流し、前記第１のノードから第２の電源電圧が供給され、第２のノードから第１の電源電圧が供給され、第３のノードから第３の電源電圧が供給され、第４のノードから第４の電源電圧が供給されたとき、第１の電流と反対方向の第２の電流を負荷に流す電流供給回路とを備え、第１の電圧供給回路は、第１の電圧が第２の電圧供給回路に供給されるとき第２の電圧を受け、第２の電圧が第２の電圧供給回路に供給されるとき第１の電圧を受ける。
【００１５】
好ましくは、電流供給回路は、第１の電源電圧が供給される第１の電源端子と、第４の電源電圧が供給される第２の電源端子と、負荷の一方端に接続された第１の出力ノードと、負荷の他方端に接続された第２の出力ノードと、ゲート端子が第１のノードに接続され、かつ、第１の電源端子と第１の出力ノードとの間に接続された第１の導電型の第１のＭＯＳトランジスタと、ゲート端子が第４のノードに接続され、かつ、第１の出力ノードと第２の電源端子との間に接続された第２の導電型の第２のＭＯＳトランジスタと、ゲート端子が第２のノードに接続され、かつ、第１の電源端子と第２の出力ノードとの間に接続された第１の導電型の第３のＭＯＳトランジスタと、ゲート端子が第３のノードに接続され、かつ、第２の出力ノードと第２の電源端子との間に接続された第２の導電型の第４のＭＯＳトランジスタとを含む。
【００１６】
好ましくは、第１の電圧供給回路は、第１の電源電圧が供給される第３の電源端子と、第２の電源電圧が供給される第４の電源端子と、第１の電圧が入力されたとき第１の電源電圧を第１のノードへ出力し、第２の電圧が入力されたとき第２の電源電圧を第１のノードへ出力する第１の電圧回路と、第１の電圧が入力されたとき第２の電源電圧を第２のノードへ出力し、第２の電圧が供給されたとき第１の電源電圧を第２のノードへ出力する第２の電圧回路とを含み、第２の電圧供給回路は、第３の電源電圧が供給される第５の電源端子と、第４の電源電圧が供給される第６の電源端子と、第１の電圧が入力されたとき第３の電源電圧を第３のノードへ出力し、第２の電圧が入力されたとき第４の電源電圧を第３のノードへ出力する第３の電圧回路と、第１の電圧が入力されたとき第４の電源電圧を第４のノードへ出力し、第２の電圧が供給されたとき第３の電源電圧を第４のノードへ出力する第４の電圧回路とを含む。
【００１７】
好ましくは、第４の電源端子は、第３の電源端子に供給される第１の電源電圧が変動すると、第１の電源電圧の変動幅だけ変動した第２の電源電圧を受ける。
【００１８】
好ましくは、第４の電源電圧は、接地電圧である。
この発明によれば、光磁気ディスク装置は、光磁気記録媒体に記録信号を記録する光磁気ディスク装置であって、対物レンズによりレーザ光を光磁気記録媒体に照射する光学ヘッドと、光磁気記録媒体に磁界を印加する磁気ヘッドと、記録信号によって変調された磁界を発生するように磁気ヘッドを駆動する磁気ヘッド駆動回路と、第１の電源電圧、第１の電源電圧よりも所定値だけ低い第２の電源電圧、第３の電源電圧、および第３の電源電圧よりも所定値だけ低い第４の電源電圧を磁気ヘッド駆動回路へ供給する電源回路とを備え、磁気ヘッド駆動回路は、第１の電源電圧と第２の電源電圧とによって駆動され、記録信号の第１の論理を示す第１の電圧が入力されたとき第１および第２の電源電圧をそれぞれ第１および第２のノードから出力し、記録信号の第２の論理を示す第２の電圧が入力されたとき第２の電源電圧を第１のノードから出力し、かつ、第１の電源電圧を第２のノードから出力する第１の電圧供給回路と、第３の電源電圧と第４の電源電圧とによって駆動され、第１の電圧が入力されたと、第３および第４の電源電圧をそれぞれ第３および第４のノードから出力し、第２の電圧が入力されたとき第４の電源電圧を第３のノードから出力し、かつ、第３の電源電圧を第４のノードから出力する第２の電圧供給回路と、第１の電源電圧と第４の電源電圧とによって駆動され、第１のノードから第１の電源電圧が供給され、第２のノードから第２の電源電圧が供給され、第３のノードから第４の電源電圧が供給され、第４のノードから第３の電源電圧が供給されたとき、第１の電流を磁気ヘッドに流し、第１のノードから第２の電源電圧が供給され、第２のノードから第１の電源電圧が供給され、第３のノードから第３の電源電圧が供給され、第４のノードから第４の電源電圧が供給されたとき、第１の電流と反対方向の第２の電流を磁気ヘッドに流す電流供給回路とを含み、第１の電圧供給回路は、第１の電圧が第２の電圧供給回路に供給されるとき第２の電圧を受け、第２の電圧が第２の電圧供給回路に供給されるとき第１の電圧を受ける。
【００１９】
好ましくは、電源回路は、第１の電源電圧が変動すると、第１の電源電圧の変動幅だけ変動した第２の電源電圧を第１の電圧供給回路へ供給する。
【００２０】
【発明の実施の形態】
本発明の実施の形態について図面を参照しながら詳細に説明する。なお、図中同一または相当部分には同一符号を付してその説明は繰返さない。
【００２１】
この発明によるブリッジ回路を適用した磁気ヘッド駆動回路を例にして、以下、説明する。図１を参照して、磁気ヘッド１１９は、コア１２０と、コイル１２１とから成る。コイル１２１は、コア１２０に巻回されている。磁気ヘッド駆動回路１１７は、電源回路１１６から供給された電源電圧ＶＤＤ，Ｖｃｃおよび接地電圧Ｖｓｓによって駆動され、後述する変調回路（図示せず）から供給された記録信号ＷＤによって変調された電流２１８，２１９をコイル１２１に流す。そして、磁気ヘッド１１９は、磁界Ｈｅｘ１，Ｈｅｘ２を光磁気記録媒体に印加する。
【００２２】
図２を参照して、電源回路１１６は、コントロール回路１１６０（低いレベルの電源回路、以下同じ）とドライブ回路１１６５（高いレベルの電源回路、以下同じ）とを備える。コントロール回路１１６０は、端子盤１１６１と、端子１１６２，１１６３と、キャパシタ１１６４とを含む。端子１１６２，１１６３は、端子盤１１６１に設置されている。キャパシタ１１６４は、電源ノード１２０１と接地ノード１１８４との間に接続され、２２０μＦの容量を有する。端子１１６２は、キャパシタ１１６４と電源ノード１２０１との間に接続される。端子１１６３は、接地ノード１１８４に接続される。そして、コントロール回路１１６０は、電源ノード１２０１から５Ｖの電源電圧ＶＤＤを磁気ヘッド駆動回路１１７へ供給する。
【００２３】
ドライブ回路１１６５は、端子盤１１６６と、端子１１６７，１１６８と、キャパシタ１１５７，１１５９，１１６９と、レギュレータ１１５８とを含む。端子１１６７，１１６８は、端子盤１１６６に設置される。端子１１６７は、ノード１１５６に接続される。端子１１６８は、接地ノード１１８４に接続される。電源ノード１１８１は、ノード１１５６に接続される。キャパシタ１１６９は、ノード１１５６と接地ノード１１８４との間に接続され、２２０μＦの容量を有する。キャパシタ１１５９は、ノード１１５６と接地ノード１１８４との間に接続され、１０μＦの容量を有する。レギュレータ１１５８は、ＧＮＤ端子がノード１１５６に接続され、ＩＮ端子が接地ノード１１８４に接続され、ＯＵＴ端子がキャパシタ１１５７および電源ノード１１８５に接続される。キャパシタ１１５７は、レギュレータ１１５８のＯＵＴ端子と接地ノード１１８４との間に接続され、１００μＦの容量を有する。電源ノード１１８１は、電源電圧Ｖｃｃを磁気ヘッド駆動回路１１７へ供給し、レギュレータ１１５８は、電源電圧Ｖｃｃよりも５Ｖ低い電源電圧Ｖｃｃ−５ＶをＯＵＴ端子から出力し、電源ノード１１８５は、電源電圧Ｖｃｃ−５Ｖを磁気ヘッド駆動回路１１７へ供給する。本発明においては、たとえば、電源電圧Ｖｃｃとして１２Ｖを用いる。したがって、ドライブ回路１１６５は、１２Ｖの電源電圧Ｖｃｃおよび１２−５＝７Ｖの電源電圧を、それぞれ、電源ノード１１８１，１１８５から磁気ヘッド駆動回路１１７へ供給する。
【００２４】
図３を参照して、磁気ヘッド駆動回路１１７は、電圧変調回路１１７０と、抵抗１１７１〜１１７３，１１７７，１２３１〜１２３４と、キャパシタ１１７４，１１７５，１１７８，１１７９と、コンパレータ１１７６と、電圧供給回路１１８０，１２００と、電流供給回路１２１０とを備える。電圧変調回路１１７０は、後述する変調回路（図示せず）から供給された記録信号ＷＤに基づいて、記録信号「１」に相当する５Ｖの電圧または記録信号「０」に相当する０Ｖの電圧をノードＮ１に出力する。抵抗１１７１は、ノードＮ１と接地ノード１１８４との間に接続され、抵抗値は５０Ωである。抵抗１１７２は、電圧変調回路１１７０とコンパレータ１１７６との間に接続され、抵抗値は１ｋΩである。抵抗１１７３は、可変抵抗であり、電源ノード１２０１と接地ノード１１８４との間に接続される。そして、抵抗１１７３は、最大で１０ｋΩの抵抗値を有する。抵抗１１７３は、コンパレータ１１７６のマイナス端子に基準電圧を供給するものであり、本発明においては、２．５Ｖを供給する。キャパシタ１１７４は、コンパレータ１１７６のマイナス端子と接地ノード１１８４との間に接続され、１μＦの容量を有する。
【００２５】
コンパレータ１１７６は、電源回路１１６のコントロール回路１１６０から電源ノード１２０１を介して供給される５Ｖの電源電圧と接地ノード１１８４から供給される接地電圧とによって駆動され、プラス端子から入力された電圧をマイナス端子から入力された２．５Ｖの基準電圧と比較し、その比較結果に応じて０Ｖの電圧および５Ｖの電圧を、それぞれ、／ＯＵＴ端子に接続されたノードＮ２およびＯＵＴ端子に接続されたノードＮ３に出力する。キャパシタ１１７５は、電源ノード１２０１と接地ノード１１８４との間に接続され、１μＦの容量を有する。キャパシタ１１７８は、ノードＮ２とノードＮ４との間に接続され、１μＦの容量を有する。抵抗１２３１は、電源ノード１１８１とノードＮ４との間に接続され、５６ｋΩの抵抗値を有する。抵抗１２３２は、ノードＮ４と電源ノード１１８５との間に接続され、５６ｋΩの抵抗値を有する。抵抗１２３１および抵抗１２３２は、電源ノード１１８１と電源ノード１１８５との間に直列に接続されており、電源ノード１１８１と電源ノード１１８５との電位差は１２−７＝５Ｖである。したがって、ノードＮ２に直流電圧が供給されたとき、キャパシタ１１７８は直流電流を通さないので、ノードＮ４上の電位は、１２−（５／（５６×１０3×２）×５６×１０3＝９．５Ｖになる。一方、０Ｖと５Ｖとの間で２５ＭＨｚ程度の高周波数で変化する交流電圧がノードＮ２上に供給されると、キャパシタ１１７８は交流電流を通し、その抵抗は小さくなる。その結果、ノードＮ４上の電位は、直流電圧がノードＮ２上に供給されたときのノードＮ４上の電位に、ノードＮ２上に供給された交流電圧を重畳した電位になる。すなわち、９．５Ｖを中心にして±２．５Ｖの範囲で変化する電位がノードＮ４上に現れる。つまり、ノードＮ４上の電位は、７Ｖと１２Ｖとの間で２５ＭＨｚ程度の周波数で変化する。
【００２６】
キャパシタ１１７９は、ノードＮ３とノードＮ５との間に接続され、１μＦの容量を有する。抵抗１２３３は、電源ノード１２０１とノードＮ５との間に接続され、５６ｋΩの抵抗値を有する。抵抗１２３４は、ノードＮ５と接地ノード１１８４との間に接続され、５６ｋΩの抵抗値を有する。
【００２７】
抵抗１２３３および抵抗１２３４は、電源ノード１２０１と電源ノード１１８４との間に直列に接続されており、電源ノード１２０１と電源ノード１１８４との電位差は５−０＝５Ｖである。したがって、ノードＮ３に直流電圧が供給されたとき、キャパシタ１１７９は直流電流を通さないので、ノードＮ５上の電位は、５−（５／（５６×１０3×２）×５６×１０3＝２．５Ｖになる。一方、０Ｖと５Ｖとの間で２５ＭＨｚ程度の高周波数で変化する交流電圧がノードＮ３上に供給されると、キャパシタ１１７９は交流電流を通し、その抵抗は小さくなる。その結果、ノードＮ５上の電位は、直流電圧がノードＮ３上に供給されたときのノードＮ５上の電位に、ノードＮ３上に供給された交流電圧を重畳した電位になる。すなわち、２．５Ｖを中心にして±２．５Ｖの範囲で変化する電位がノードＮ５上に現れる。つまり、ノードＮ５上の電位は、０Ｖと５Ｖとの間で２５ＭＨｚ程度の周波数で変化する。
【００２８】
電圧供給回路１１８０は、バッファ１１８２，１１８７と、インバータ１１９０，１１９３と、キャパシタ１１８３，１１８６，１１８８，１１８９，１１９１，１１９２，１１９４，１１９５とを含む。バッファ１１８２，１１８７およびインバータ１１９０，１１９３は、電源ノード１１８１に供給される１２Ｖの電源電圧と電源ノード１１８５に供給される７Ｖの電源電圧とによって駆動される。また、バッファ１１８２，１１８７およびインバータ１１９０，１１９３は、ノードＮ４上の電圧を受ける。キャパシタ１１８３，１１８８，１１９１，１１９４は、電源ノード１１８１と接地ノード１１８４との間に接続され、１μＦの容量を有する。キャパシタ１１８６，１１８９，１１９２，１１９５は、電源ノード１１８５と接地ノード１１８４との間に接続され、１μＦの容量を有する。バッファ１１８２，１１８７は、ノードＮ４上の電圧が９．５Ｖの基準値よりも高い１２Ｖであるとき、電源ノード１１８１から供給された１２Ｖの電源電圧をノードＮ６に出力する。また、バッファ１１８２，１１８７は、ノードＮ４上の電圧が９．５Ｖの基準値よりも低い７Ｖであるとき、電源ノード１１８５から供給された電源電圧７ＶをノードＮ６へ出力する。
【００２９】
インバータ１１９０，１１９３は、ノードＮ４上の電圧が９．５Ｖの基準値よりも高い１２Ｖであるとき、電源ノード１１８５から供給された７Ｖの電源電圧をノードＮ７に出力する。また、インバータ１１９０，１１９３は、ノードＮ４上の電圧が９．５Ｖの基準値よりも低い７Ｖであるとき、電源ノード１１８１から供給された電源電圧１２ＶをノードＮ７へ出力する。
【００３０】
電圧供給回路１２００は、バッファ１２０２，１２０４と、インバータ１２０６，１２０８と、キャパシタ１２０３，１２０５，１２０７，１２０９とを含む。バッファ１２０２，１２０４およびインバータ１２０６，１２０８は、電源ノード１２０１に供給される５Ｖの電源電圧と接地ノード１１８４に供給される０Ｖの電源電圧とによって駆動される。また、バッファ１２０２，１２０４およびインバータ１２０６，１２０８は、ノードＮ５上の電圧を受ける。キャパシタ１２０３，１２０５，１２０７，１２０９は、電源ノード１２０１と接地ノード１１８４との間に接続され、１μＦの容量を有する。バッファ１２０２，１２０４は、ノードＮ５上の電圧が２．５Ｖの基準値よりも高い５Ｖであるとき、電源ノード１２０１から供給された５Ｖの電源電圧をノードＮ８に出力する。また、バッファ１２０２，１２０４は、ノードＮ５上の電圧が２．５Ｖの基準値よりも低い０Ｖであるとき、接地ノード１１８４から供給された接地電圧０ＶをノードＮ８へ出力する。
【００３１】
インバータ１２０６，１２０８は、ノードＮ５上の電圧が２．５Ｖの基準値よりも高い５Ｖであるとき、接地ノード１１８４から供給された０Ｖの電源電圧をノードＮ９に出力する。また、インバータ１２０６，１２０８は、ノードＮ５上の電圧が２．５Ｖの基準値よりも低い０Ｖであるとき、電源ノード１２０１から供給された５Ｖの電源電圧をノードＮ９へ出力する。
【００３２】
電流供給回路１２１０は、ＰチャネルＭＯＳトランジスタ１２１１，１２１２と、キャパシタ１２１３，１２１５，１２２３と、抵抗１２１４，１２１６と、ショットキーダイオード１２１７〜１２２０と、ＮチャネルＭＯＳトランジスタ１２２１，１２２２とを含む。
【００３３】
ＰチャネルＭＯＳトランジスタ１２１１およびＮチャネルＭＯＳトランジスタ１２２１は、電源ノード１１８１と接地ノード１１８４との間に直列に接続される。キャパシタ１２１３は、抵抗１２１４に並列に接続され、ショットキーダイオード１２１７は、ショットキーダイオード１２１８に並列に接続される。キャパシタ１２１３と抵抗１２１４とを並列に接続したものと、２つのショットキーダイオード１２１７，１２１８を並列に接続したものとは、ＰチャネルＭＯＳトランジスタ１２１１とＮチャネルＭＯＳトランジスタ１２２１との間に直列に接続される。
【００３４】
また、ＰチャネルＭＯＳトランジスタ１２１２およびＮチャネルＭＯＳトランジスタ１２２２は、電源ノード１１８１と接地ノード１１８４との間に直列に接続される。キャパシタ１２１５は、抵抗１２１６に並列に接続され、ショットキーダイオード１２１９は、ショットキーダイオード１２２０に並列に接続される。キャパシタ１２１５と抵抗１２１６とを並列に接続したものと、２つのショットキーダイオード１２１９，１２２０を並列に接続したものとは、ＰチャネルＭＯＳトランジスタ１２１２とＮチャネルＭＯＳトランジスタ１２２２との間に直列に接続される。
【００３５】
ＰチャネルＭＯＳトランジスタ１２１１、キャパシタ１２１３と抵抗１２１４とを並列に接続したもの、２つのショットキーダイオード１２１７，１２１８を並列に接続したもの、およびＮチャネルＭＯＳトランジスタ１２２１は、ＰチャネルＭＯＳトランジスタ１２１２、キャパシタ１２１５と抵抗１２１６とを並列に接続したもの、２つのショットキーダイオード１２１９，１２２０を並列に接続したもの、およびＮチャネルＭＯＳトランジスタ１２２２に並列に接続される。キャパシタ１２２３は、電源ノード１１８１と接地ノード１１８４との間に接続され、２２０μＦの容量を有する。また、キャパシタ１２１３，１２１５は、１５００ｐＦの容量を有する。
【００３６】
ＰチャネルＭＯＳトランジスタ１２１１は、そのゲート端子にノードＮ７上の電圧を受け、ＰチャネルＭＯＳトランジスタ１２１２は、そのゲート端子にノードＮ６上の電圧を受ける。また、ＮチャネルＭＯＳトランジスタ１２２１は、そのゲート端子にノードＮ８上の電圧を受け、ＮチャネルＭＯＳトランジスタ１２２２は、そのゲート端子にノードＮ９上の電圧を受ける。そして、ノードＮ１０は、磁気ヘッド１１９のコイル１２１の一方端に接続され、ノードＮ１１は、コイル１２１の他方端に接続される。電源ノード１１８１には１２Ｖの電源電圧が供給され、接地ノード１１８４には０Ｖの接地電圧が供給されるので、電流供給回路は、１２Ｖの電圧によって駆動される。
【００３７】
次に、磁気ヘッド駆動回路１１７における動作について説明する。記録信号ＷＤとして「１０１１０１００１０１００１０」が入力されると、電圧変調回路１１７０は、「１」に相当する電圧として５ＶをノードＮ１に出力し、「０」に相当する電圧として０ＶをノードＮ１に出力する。その結果、電圧変調回路１１７０は、０Ｖの電圧と５Ｖの電圧を２５ＭＨｚ程度の高周波数でノードＮ１へ出力する。
【００３８】
そして、コンパレータ１１７６は、ノードＮ１上の電圧が０Ｖであるとき、０Ｖの電圧を基準値２．５Ｖと比較し、／ＯＵＴ端子に接続されたノードＮ２に５Ｖを出力し、ＯＵＴ端子に接続されたノードＮ３に０Ｖを出力する。そうすると、ノードＮ４上の電位は、上述したように１２Ｖになり、バッファ１１８２，１１８７は１２Ｖの電圧をノードＮ６に出力し、インバータ１１９０，１１９３は、７Ｖの電圧をノードＮ７に出力する。また、ノードＮ５上の電位は、上述したように、０Ｖになり、バッファ１２０２，１２０４は、０Ｖの電圧をノードＮ８に出力し、インバータ１２０６，１２０８は、５Ｖの電圧をノードＮ９に出力する。その結果、ＰチャネルＭＯＳトランジスタ１２１２およびＮチャネルＭＯＳトランジスタ１２２１はオフされ、ＰチャネルＭＯＳトランジスタ１２１１およびＮチャネルＭＯＳトランジスタ１２２２はオンされる。したがって、電流供給回路１２１０は、ノードＮ１１からノードＮ１０に向かう電流をコイル１２１に流す。これによって磁気ヘッド１１９は、磁界Ｈｅｘ２を発生する。
【００３９】
一方、コンパレータ１１７６は、ノードＮ１上の電圧が５Ｖであるとき、５Ｖの電圧を基準値２．５Ｖと比較し、／ＯＵＴ端子に接続されたノードＮ２に０Ｖを出力し、ＯＵＴ端子に接続されたノードＮ３に５Ｖを出力する。そうすると、ノードＮ４上の電位は、上述したように７Ｖになり、バッファ１１８２，１１８７は、７Ｖの電圧をノードＮ６に出力し、インバータ１１９０，１１９３は、１２Ｖの電圧をノードＮ７に出力する。また、ノードＮ５上の電位は、上述したように、５Ｖになり、バッファ１２０２，１２０４は５Ｖの電圧をノードＮ８に出力し、インバータ１２０６，１２０８は、０Ｖの電圧をノードＮ９に出力する。その結果、ＰチャネルＭＯＳトランジスタ１２１１およびＮチャネルＭＯＳトランジスタ１２２２はオフされ、ＰチャネルＭＯＳトランジスタ１２１２およびＮチャネルＭＯＳトランジスタ１２２１はオンされる。したがって、電流供給回路１２１０は、ノードＮ１０からノードＮ１１に向かう電流をコイル１２１に流す。これによって、磁気ヘッド１１９は、磁界Ｈｅｘ１を発生する。
【００４０】
このようにして、磁気ヘッド駆動回路１１７は、記録信号「１」，「０」に応じて異なる方向の磁界Ｈｅｘ１，Ｈｅｘ２を発生させるように磁気ヘッド１１９を駆動する。
【００４１】
磁気ヘッド駆動回路１１７においては、電流供給回路１２１０は、駆動電源の１つを電源ノード１１８１から供給される。そして、本発明においては、電源ノード１１８１から供給される電圧は、従来の５Ｖよりも高い１２Ｖに設定されている。したがって、電流供給回路１２１０は、従来よりも大きな電流をコイル１２１に供給することができる。また、電圧供給回路１１８０は、電源ノード１１８１から供給される１２Ｖの電圧と電源ノード１１８５から供給される７Ｖの電圧とによって駆動され、入力される電圧によって７Ｖまたは１２Ｖの電圧をノードＮ６，Ｎ７に出力する。ＰチャネルＭＯＳトランジスタ１２１１，１２１２のソース端子には、電源ノード１１８１から供給される１２Ｖの電圧が印加されるため、ノードＮ６，Ｎ７に７Ｖの電圧が出力されたときＰチャネルＭＯＳトランジスタ１２１１，１２１２は、ソース端子とゲート端子との間の電位差が５Ｖになり、オンされる。そして、この５Ｖの電位差は、電圧供給回路１１８０が出力する２つの電圧の差に等しい。また、電圧供給回路１１８０のバッファ１１８２，１１８７およびインバータ１１９０，１１９３の電源ノード１１８１に供給される電源電圧は、電流供給回路１２１０に供給される電源電圧と同じであり、電源ノード１１８１に供給される電源電圧と電源ノード１１８５に供給される電源電圧との差は、常に５Ｖに保持されるため、電源ノード１１８１に供給される電源電圧が変動しても電圧供給回路１１８０は、５Ｖの電位差を有する２つの電圧をノードＮ６，Ｎ７に出力する。つまり、電源ノード１１８１に供給される電源電圧が変動すれば、電源ノード１１８５に供給される電源電圧は、５Ｖの電位差を有するように変動する。
【００４２】
したがって、大電流をコイル１２１に流すために電源ノード１１８１に供給される電源電圧を高くしても、ＰチャネルＭＯＳトランジスタ１２１１，１２１２は、ソース端子に印加される電源電圧と同じ電圧か、ソース端子に印加される電源電圧よりも５Ｖ低い電圧かのいずれかをゲート端子に受ける。その結果、ＰチャネルＭＯＳトランジスタ１２１１，１２１２は、ソース端子に印加される電圧が高くなっても、常時、オンされることがない。
【００４３】
上記においては、磁気ヘッド駆動回路を例にして説明したため、「ブリッジ回路」と表記しなかったが、この発明によるブリッジ回路は、図３に示す磁気ヘッド駆動回路１１７と同じ構成から成る。
【００４４】
次に、この発明によるブリッジ回路を用いた光磁気ディスク装置について説明する。図４を参照して、この発明によるブリッジ回路を用いた光磁気ディスク装置１００は、光学ヘッド１０１と、再生信号増幅回路１０２と、外部同期信号生成回路１０３と、サーボ回路１０４と、サーボ機構１０５と、スピンドルモータ１０６と、ＢＰＦ１０７と、ＡＤ変換器１０８と、波形等化回路１０９と、復号回路１１０と、復調回路１１１と、デコーダ１１２と、制御回路１１３と、エンコーダ１１４と、変調回路１１５と、電源回路１１６と、磁気ヘッド駆動回路１１７と、レーザ駆動回路１１８と、磁気ヘッド１１９とを備える。
【００４５】
光学ヘッド１０１は、波長６５０ｎｍ（許容誤差：±１５ｎｍ、以下同じ）のレーザ光を光磁気記録媒体１０に照射し、その反射光を検出する。再生信号増幅回路１０２は、光学ヘッド１０１が光磁気記録媒体１０から検出したトラッキングエラー信号ＴＥ、フォーカスエラー信号ＦＥ、ファインクロックマーク信号ＦＣＭ、および光磁気信号ＲＦを所定のレベルまで増幅し、トラッキングエラー信号ＴＥ、およびフォーカスエラー信号ＦＥをサーボ回路１０４へ出力し、ファインクロックマーク信号ＦＣＭを外部同期信号生成回路１０３へ出力し、光磁気信号ＲＦをＢＰＦ１０７へ出力する。
【００４６】
外部同期信号生成回路１０３は、後述する方法によってファインクロックマーク信号ＦＣＭに基づいて外部同期信号ＣＬＫを生成し、その生成した外部同期信号ＣＬＫをサーボ回路１０４、ＡＤ変換器１０８、波形等化回路１０９、復号回路１１０、復調回路１１１、および変調回路１１５へ出力する。サーボ回路１０４は、トラッキングエラー信号ＴＥおよびフォーカスエラー信号ＦＥに基づいて光学ヘッド１０１に含まれる対物レンズ（図示せず）のトラッキングサーボおよびフォーカスサーボを行なうようにサーボ機構１０５を制御する。また、サーボ回路１０４は、外部同期信号ＣＬＫに同期してスピンドルモータ１０６を所定の回転数で回転させる。
【００４７】
サーボ機構１０５は、サーボ回路１０４からの制御に基づいて光学ヘッド１０１に含まれる対物レンズ（図示せず）のトラッキングサーボおよびフォーカスサーボを行なう。スピンドルモータ１０６は、光磁気記録媒体１０を所定の回転数で回転させる。ＢＰＦ１０７は、光磁気信号ＲＦの高域と低域とを除去する。ＡＤ変換器１０８は、外部同期信号生成回路１０３からの外部同期信号ＣＬＫに同期して光磁気信号ＲＦをアナログ信号からデジタル信号に変換する。
【００４８】
波形等化回路１０９は、外部同期信号生成回路１０３からの外部同期信号ＣＬＫに同期して、デジタル信号に変換された光磁気信号ＲＦにＰＲ（１，１）波形等化を行なう。すなわち、波形等化回路１０９は、光磁気信号ＲＦの前後のデータが１対１に波形干渉を行なうように等化する。復号回路１１０は、外部同期信号生成回路１０３からの外部同期信号ＣＬＫに同期して、光磁気信号ＲＦを多値から２値に変換する。復調回路１１１は、外部同期信号生成回路１０３からの外部同期信号ＣＬＫに同期して、記録時に施されたデジタル変調を解くための復調を行なう。デコーダ１１２は、復調された再生信号の誤り訂正を行ない、再生データとして出力する。
【００４９】
制御回路１１３は、光磁気ディスク装置１００の各部を制御する。また、制御回路１１３は、光学ヘッド１０１に含まれる半導体レーザ（図示せず）を駆動するための駆動信号ＰＷ，ＰＲを生成し、その生成した駆動信号ＰＷ，ＰＲをレーザ駆動回路１１８へ出力する。なお、駆動信号ＰＷは、光磁気記録媒体１０に信号を記録するときの半導体レーザの駆動信号であり、駆動信号ＰＲは、光磁気記録媒体１０から信号を再生するときの半導体レーザの駆動信号である。
【００５０】
エンコーダ１１４は、記録データに誤り訂正符号を付加する。変調回路１１５は、外部同期信号生成回路１０３からの外部同期信号ＣＬＫに同期して、エンコーダ１１４からの記録信号を所定の方式に変調する。
【００５１】
電源回路１１６は、上述したように、電源電圧ＶＤＤ，Ｖｃｃおよび接地電圧を磁気ヘッド駆動回路１１７へ供給する。磁気ヘッド駆動回路１１７は、上述したように、記録信号ＷＤによって変調された電流を磁気ヘッド１１９のコイル１２１に流して記録信号ＷＤによって変調された磁界を発生するように磁気ヘッド１１９を駆動する。レーザ駆動回路１１８は、制御回路１１３からの駆動信号ＰＷ，ＰＲに基づいて、光学ヘッド１０１に含まれる半導体レーザ（図示せず）を駆動する。磁気ヘッド１１９は、記録信号ＷＤによって変調された磁界を光磁気記録媒体１０に印加する。
【００５２】
図５を参照して、光磁気記録媒体１０からの光磁気信号ＲＦ、およびファインクロックマーク信号ＦＣＭの検出について説明する。光磁気記録媒体１０は、径方向（「ラジアル方向」とも言う）ＤＲ１にランド１とグルーブ２とを交互に配列したトラック構造を有する。そして、光磁気記録媒体１０は、周方向（「タンジェンシャル方向」とも言う）ＤＲ２に一定間隔ごとにファインクロックマーク３を含む。ファインクロックマーク３は、ランド１に４μｍ程度のグルーブを、グルーブ２に４μｍ程度のランドを、それぞれ、形成することによって光磁気記録媒体１０の製造時にプリフォーマットされる。なお、光磁気記録媒体１０においては、ファインクロックマーク３が形成されていない領域に信号が記録される。
【００５３】
光学ヘッド１０１の光検出器１０１０は、６つに分割されたＡ領域１０１１、Ｂ領域１０１２、Ｃ領域１０１３、Ｄ領域１０１４、Ｅ領域１０１５、およびＦ領域１０１６を有する。Ａ領域１０１１とＤ領域１０１４、Ｂ領域１０１２とＣ領域１０１３は、光磁気記録媒体１０のラジアル方向ＤＲ１に配置され、Ａ領域１０１１とＢ領域１０１２、Ｃ領域１０１３とＤ領域１０１４、およびＥ領域１０１５とＦ領域１０１６は光磁気記録媒体１０のタンジェンシャル方向ＤＲ２に配置される。
【００５４】
Ａ領域１０１１、Ｂ領域１０１２、Ｃ領域１０１３、およびＤ領域１０１４は、それぞれ、光磁気記録媒体１０に照射されたレーザ光ＬＢのＡ領域、Ｂ領域、Ｃ領域、およびＤ領域での反射光を検出する。また、Ｅ領域１０１５、およびＦ領域１０１６は、レーザ光ＬＢのＡ領域、Ｂ領域、Ｃ領域、およびＤ領域の全体で反射されたレーザ光を、光学ヘッド１０１のウォラストンプリズム（図示せず）によって偏光面の異なる２つの方向に回折したレーザ光を検出する。
【００５５】
ファインクロックマーク３が形成されていない領域に記録された記録信号の光磁気信号ＲＦは、光検出器１０１０のＥ領域１０１５で検出されたレーザ光強度［Ｅ］とＦ領域１０１６で検出されたレーザ光強度［Ｆ］との差を演算することによって検出される。すなわち、回路３０の減算器３０１は、Ｅ領域１０１５で検出されたレーザ光強度［Ｅ］とＦ領域１０１６で検出されたレーザ光強度［Ｆ］との差分を演算し、光磁気信号ＲＦ＝［Ｅ］−［Ｆ］を出力する。
【００５６】
ファインクロックマーク３は、タンジェンシャルプッシュプル法により検出され、Ａ領域１０１１で検出されたレーザ光強度［Ａ］とＤ領域１０１４で検出されたレーザ光強度［Ｄ］との和からＢ領域１０１２で検出されたレーザ光強度［Ｂ］とＣ領域１０１３で検出されたレーザ光強度［Ｃ］との和を減じたものとして検出される。すなわち、ファインクロックマーク３は、回路４０を構成する加算器４０１，４０２と減算器４０３とによって検出される。加算器４０１は、Ａ領域１０１１で検出されたレーザ光強度［Ａ］とＤ領域１０１４で検出されたレーザ光強度［Ｄ］とを加算した［Ａ＋Ｄ］を出力する。加算器４０２は、Ｂ領域１０１２で検出されたレーザ光強度［Ｂ］とＣ領域１０１３で検出されたレーザ光強度［Ｃ］とを加算した［Ｂ＋Ｃ］を出力する。そして、減算器４０３は、加算器４０１の出力［Ａ＋Ｄ］から加算器４０２の出力［Ｂ＋Ｃ］を減算してファインクロックマークの再生信号ＦＣＭ＝［Ａ＋Ｄ］−［Ｂ＋Ｃ］を出力する。
【００５７】
図６を参照して、外部同期信号ＣＬＫの生成について説明する。光学ヘッド１０１の光検出部１０１０は、図５を参照して説明したようにタンジェンシャルプッシュプル法によりファインクロックマーク信号ＦＣＭを検出し、その検出したファインクロックマーク信号ＦＣＭを再生信号増幅回路１０２を介して外部同期信号生成回路１０３へ出力する。外部同期信号生成回路１０３は、入力されたファインクロックマーク信号ＦＣＭに基づいてファインクロックマーク検出信号ＦＣＭＴを生成する。すなわち、外部同期信号生成回路１０３においては、ファインクロックマーク信号ＦＣＭは、所定のレベルでコンパレートされ、信号ＦＣＭＣに変換される。そして、信号ＦＣＭＣは信号／ＦＣＭＣに反転される。その後、ファインクロックマーク信号ＦＣＭの極性が切替わる点Ｐの位置に立ち上がりエッジが同期し、かつ、６ＤＣＢの振幅幅を有する検出窓信号ＤＥＷＩＮが生成され、信号／ＦＣＭＣと検出窓信号ＤＥＷＩＮとの論理積が演算されて信号ＦＣＭＴが生成される。そして、信号ＦＣＭＴの隣接する２つの成分間に一定個数（たとえば、５３２個）の周期信号が存在するように外部同期信号ＣＬＫが生成される。
【００５８】
なお、図６のファインクロックマーク信号ＦＣＭは、レーザ光が光磁気記録媒体１０のグルーブ２を走行する場合に検出されるファインクロックマーク信号について説明した。レーザ光がランド１を走行する場合に検出されるファインクロックマーク信号は、その極性が変わるだけであり、点Ｐの位置は変化しない。したがって、レーザ光がランド１を走行する場合も、同様に信号ＦＣＭＴを生成できる。
【００５９】
再び、図４を参照して、光磁気ディスク装置１００における光磁気記録媒体１０への信号の記録動作について説明する。光磁気ディスク装置１００に光磁気記録媒体１０が装着されると、制御回路１１３は、スピンドルモータ１０６を所定の回転数で回転させるようにサーボ回路１０４を制御するとともに、所定強度のレーザ光を生成するようにレーザ駆動回路１１８を制御する。サーボ回路１０４は、スピンドルモータ１０６を所定の回転数で回転させ、スピンドルモータ１０６は、光磁気記録媒体１０を所定の回転数で回転する。また、レーザ駆動回路１１８は、所定強度のレーザ光を出射するように光学ヘッド１０１に含まれる半導体レーザ（図示せず）を駆動し、光学ヘッド１０１は、所定強度のレーザ光を光磁気記録媒体１０に照射し、その反射光を検出する。そして、光学ヘッド１０１は、検出したトラッキングエラー信号ＴＥ、フォーカスエラー信号ＦＥ、およびファインクロックマーク信号ＦＣＭを再生信号増幅回路１０２へ出力する。
【００６０】
再生信号増幅回路１０２は、トラッキングエラー信号ＴＥ、フォーカスエラー信号ＦＥ、およびファインクロックマーク信号ＦＣＭを所定のレベルに増幅し、トラッキングエラー信号ＴＥ、およびフォーカスエラー信号ＦＥをサーボ回路１０４へ出力し、ファインクロックマーク信号ＦＣＭを外部同期信号生成回路１０３へ出力する。外部同期信号生成回路１０３は、上述した方法によって、ファインクロックマーク信号ＦＣＭに基づいて外部同期信号ＣＬＫを生成し、その生成した外部同期信号ＣＬＫをサーボ回路１０４、ＡＤ変換器１０８、波形等化回路１０９、復号回路１１０、復調回路１１１、および変調回路１１５へ出力する。
【００６１】
一方、サーボ回路１０４は、トラッキングエラー信号ＴＥおよびフォーカスエラー信号ＦＥに基づいて光学ヘッド１０１に含まれる対物レンズ（図示せず）のトラッキングサーボおよびフォーカスサーボを行なうとともに、外部同期信号ＣＬＫに同期してスピンドルモータ１０６を所定の回転数で回転する。
【００６２】
そうすると、制御回路１１３は、入力された記録信号を変調して磁気ヘッド駆動回路１１７へ出力するように変調回路１１５を制御するとともに、レーザ光の強度を記録時の強度に設定するための駆動信号ＰＷをレーザ駆動回路１１８へ出力する。その後、記録データがエンコーダ１１４に入力され、エンコーダ１１４は、記録データに誤り訂正を付加して変調回路１１５へ出力する。変調回路１１５は、外部同期信号ＣＬＫに同期して、エンコーダ１１４からの記録信号を所定の方式に変調し、その変調した記録信号を磁気ヘッド駆動回路１１７へ出力する。すなわち、変調回路１１５は、図７に示すように、外部同期信号ＣＬＫに同期して変調された記録信号ＷＤ「１０１１０１００１０１１００１０」を磁気ヘッド駆動回路１１７へ出力する。
【００６３】
レーザ駆動回路１１８は、駆動信号ＰＷに基づいて、レーザ光の強度を記録時の強度に設定するように光学ヘッド１０１に含まれる半導体レーザ（図示せず）を制御し、光学ヘッド１０１は、記録時の強度を有するレーザ光を光磁気記録媒体１０に照射する。また、磁気ヘッド駆動回路１１７においては、電圧変調回路１１７０は、入力された記録信号ＷＤに基づいて記録信号の「１」を５Ｖの電圧に変換し、記録信号の「０」を０Ｖの電圧に変換する。そして、電圧供給回路１１８０は、上述したように、５Ｖの電圧または０Ｖの電圧に対応して入力される電圧に応じて、１２Ｖの電圧または７Ｖの電圧をノードＮ６，Ｎ７へ出力し、ＰチャネルＭＯＳトランジスタ１２１１，１２１２を選択的にオン・オフする。また、電圧供給回路１２００は、上述したように、５Ｖの電圧または０Ｖの電圧に対応して入力される電圧に応じて、５Ｖの電圧または０Ｖの電圧をノードＮ８，Ｎ９へ出力し、ＮチャネルＭＯＳトランジスタ１２２１，１２２２を選択的にオン・オフする。
【００６４】
電圧変調回路１１７０が記録信号「１」に対応して５Ｖの電圧を出力したとき、上述したように、ノードＮ４上の電圧は７Ｖになり、ノードＮ５上の電圧は５Ｖになる。そうすると、電圧供給回路１１８０は、７Ｖの電圧をノードＮ６へ出力し、１２Ｖの電圧をノードＮ７へ出力する。また、電圧供給回路１２００は、５Ｖの電圧をノードＮ８へ出力し、０Ｖの電圧をノードＮ９へ出力する。その結果、ＰチャネルＭＯＳトランジスタ１２１１およびＮチャネルＭＯＳトランジスタ１２２２はオフされ、ＰチャネルＭＯＳトランジスタ１２１２およびＮチャネルＭＯＳトランジスタ１２２１はオンされ、コイル１２１には、ノードＮ１０からノードＮ１１に向かう方向に２００ｍＡの電流が流される。そして、磁気ヘッド１１９は、１．５８×１０4Ａ／ｍの磁界Ｈｅｘ１を光磁気記録媒体１０に印加する。
【００６５】
一方、電圧変調回路１１７０が記録信号「０」に対応して０Ｖの電圧を出力したとき、上述したように、ノードＮ４上の電圧は１２Ｖになり、ノードＮ５上の電圧は０Ｖになる。そうすると、電圧供給回路１１８０は、１２Ｖの電圧をノードＮ６へ出力し、７Ｖの電圧をノードＮ７へ出力する。また、電圧供給回路１２００は、０Ｖの電圧をノードＮ８へ出力し、５Ｖの電圧をノードＮ９へ出力する。その結果、ＰチャネルＭＯＳトランジスタ１２１２およびＮチャネルＭＯＳトランジスタ１２２１はオフされ、ＰチャネルＭＯＳトランジスタ１２１１およびＮチャネルＭＯＳトランジスタ１２２２はオンされ、コイル１２１には、ノードＮ１１からノードＮ１０に向かう方向に２００ｍＡ（すなわち−２００ｍＡ）の電流が流れる。そして、磁気ヘッド１１９は、−１．５８×１０4Ａ／ｍの磁界Ｈｅｘ２を光磁気記録媒体１０に印加する。このように、記録信号「１」または「０」が、順次、光磁気記録媒体１０に記録される。
【００６６】
次に、光磁気ディスク装置１００における光磁気記録媒体１０からの信号の再生動作について説明する。光磁気記録媒体１０が外部同期信号ＣＬＫに同期して所定の回転数で回転され、光学ヘッド１０１の対物レンズ（図示せず）のトラッキングサーボおよびフォーカスサーボが行なわれるまでの動作は、記録動作の場合と同じである。その後、光学ヘッド１０１は、再生時の強度を有するレーザ光によって光磁気記録媒体１０から光磁気信号ＲＦを検出して再生信号増幅回路１０２へ出力する。
【００６７】
再生信号増幅回路１０２は、光磁気信号ＲＦを所定のレベルに増幅した後、光磁気信号ＲＦをＢＰＦ１０７へ出力する。ＢＰＦ１０７は、光磁気信号ＲＦの高域と低域とを除去し、ＡＤ変換器１０８は、外部同期信号ＣＬＫに同期して、光磁気信号ＲＦをアナログ信号からデジタル信号に変換する。そして、波形等化回路１０９は、外部同期信号ＣＬＫに同期して、光磁気信号ＲＦの前後のデータが１対１に波形干渉を行なうように波形等化を行ない、復号回路１１０は、外部同期信号ＣＬＫに同期して、光磁気信号ＲＦを多値から２値に変換する。復調回路１１１は、外部同期信号ＣＬＫに同期して、記録時に施されたデジタル変調を解くための復調を行ない、デコーダ１１２は、復調された再生信号の誤り訂正を行ない、再生データを出力する。これによって、光磁気記録媒体１０からの信号の再生動作が終了する。
【００６８】
上記においては、磁気ヘッドを駆動する磁気ヘッド駆動回路にブリッジ回路を用いた場合について説明したが、本発明によるブリッジ回路は、モータ等のコイルを用いた電気機器に適用できるものである。
【００６９】
この発明によれば、ブリッジ回路は、コイルに流す電流を制御するトランジスタをオン・オフする電圧供給回路の電源電圧は、トランジスタを駆動する電源電圧と同じ電源電圧が用いられ、その電源電圧が変動してもトランジスタは、一定の電圧によって駆動されるので、コイルに大電流を流すことができる。
【００７０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【図１】  磁気ヘッド、磁気ヘッド駆動回路、および電源回路の概略ブロック図である。
【図２】  図１に示す電源回路の回路図である。
【図３】  図１に示す磁気ヘッド駆動回路のブロック図である。
【図４】  光磁気ディスク装置のブロック図である。
【図５】  光磁気信号、およびファインクロックマーク信号の検出方法を説明するための図である。
【図６】  外部同期信号の生成方法を説明するための図である。
【図７】  図１に示す磁気ヘッド駆動回路の動作を説明するための図である。
【図８】  従来の磁気ヘッド駆動回路の回路図である。
【符号の説明】
１  ランド、２  グルーブ、３  ファインクロックマーク、１０  光磁気記録媒体、１０１１〜１０１６  領域、３０，４０  回路、１００  光磁気ディスク装置、１０１  光学ヘッド、１０２  再生信号増幅回路、１０３  外部同期信号生成回路、１０４  サーボ回路、１０５  サーボ機構、１０６  スピンドルモータ、１０７  ＢＰＦ、１０８  ＡＤ変換器、１０９  波形等化回路、１１０  復号回路、１１１  復調回路、１１２  デコーダ、１１３  制御回路、１１４  エンコーダ、１１５  変調回路、１１７，２００  磁気ヘッド駆動回路、１１８  レーザ駆動回路、１１９  磁気ヘッド、１２０  コア、１２１  コイル、２０１，２０２，１１８１，１１８５，１２０１  電源ノード、２０３，１１８４  接地ノード、２０４，１１７６  コンパレータ、２０５，２０６，１１８２，１１８７，１２０２，１２０４  バッファ、２０７，２０８，１２１１，１２１２  ＰチャネルＭＯＳトランジスタ、２０９，２１０，１２２１，１２２２  ＮチャネルＭＯＳトランジスタ、２１１〜２１７  ノード、２１８，２１９  電流、３０１，４０３  減算器、４０１，４０２  加算器、１０１０  光検出器、１１６０  コントロール回路、１１６１，１１６６  端子盤、１１６２，１１６３，１１６７，１１６８  端子、１１６５  ドライブ回路、１１５７，１１５９，１１６４，１１６９，１１７４，１１７５，１１７８，１１７９，１１８３，１１８６，１１８９，１１９１，１１９２，１１９４，１２０３，１２０５，１２０７，１２０９，１２１３，１２１５，１２２３  キャパシタ、１１５８  レギュレータ、１１７０  電圧変調回路、１１７１〜１１７３，１１７７，１２１４，１２１６，１２３１〜１２３４  抵抗、１１８０，１２００  電圧供給回路、１１９０，１１９３，１２０６，１２０８  インバータ、１２１０  電流供給回路、１２１７〜１２２０  ショットキーダイオード。
【図１】
0004093732.tif 000002
【図２】
0004093732.tif 000003
【図３】
0004093732.tif 000004
【図４】
0004093732.tif 000005
【図５】
0004093732.tif 000006
【図６】
0004093732.tif 000007
【図７】
0004093732.tif 000008
【図８】
0004093732.tif 000009